(57)【特許請求の範囲】
【請求項１】
表面の中央部にハーフカット部を設けた折り曲げ線を有する硬質材の蓋と、その蓋の裏面に周縁部を固着され、折曲げ線の両側にポケット部を有する可撓性部材の容器体からなる分配包装体において、前記蓋と容器体の周縁部の固着シールの内側で、さらに前記ポケット部ではない位置で、前記硬質材の蓋の折り曲げ線上に容器体内の設定以上の圧力を排気する排圧口が設けられ、該排圧口の周囲は鋭角形状を有する剥離可能な線状のシール部で閉鎖されていることを特徴とする分配包装体。
【請求項２】
前記剥離可能なシール部は菱形又は三角形又は各辺が内側に湾曲している４角形の線状シールである鋭角形状のシール部を有していることを特徴とする請求項１に記載の分配包装体。
【請求項３】
表面の中央部にハーフカット部を設けた折り曲げ線を有する硬質材の蓋には、折り曲げ線上に突起が形成されており、前記蓋をＶ字状に折り曲げた際に突起のハーフカット部が破断し、開口部を形成することを特徴とする請求項１又は２に記載の分配包装体。
【請求項４】
前記固着シールと前記線状のシール部が離れていることを特徴とする請求項１乃至３のいずれかに記載の分配包装体。
【発明の詳細な説明】
【技術分野】
【０００１】
本発明は、片手で摘んで折曲げて開封することができる分配包装体に関し、とりわけ、電子レンジで加熱した際の排圧機能を有する分配包装体に関する。
【背景技術】
【０００２】
従来、液体やペーストなどが充填され、片手で摘んで折曲げて簡単に開封できる分配包装体として、マヨネーズ、ドレッシング、焼売用として醤油とからしなどをはじめとして、多種多様の商品が販売されて利用されている。これら片手で摘んで折曲げて開封できる分配包装体は、硬質材の蓋の裏面の周囲に可撓性のポケット部を備え、硬質材の蓋部上面にはその厚み方向に未貫通のハーフカット（切れ目）が設けられている。さらに硬質材の蓋の切れ目上に突起を設けておくことにより、開口部の開口を確保することが出来る。そこで、これらの分配包装体から内容物を取り出す際にはポケット部をはさむように蓋部をＶ字状に折り曲げることによってハーフカットを破断させる。破断した箇所が開口部となり、該開口部から収納部に充填されていた内容物を簡単に取り出すことができることが提案されている。（たとえば、特許文献１、２参照）。
【先行技術文献】
【特許文献】
【０００３】
【特許文献１】特開昭５９−１０３８６６
【特許文献２】特開昭６１−１０４９７３
【発明の概要】
【発明が解決しようとする課題】
【０００４】
これらは手軽に使用できるのでコンビニエンスストアで販売されているお弁当などにも便利に用いられる。しかし、硬質材の蓋にポケットを有する容器体が固着されているので、弁当にインパック（容器の中に組み込む）すると、電子レンジでお弁当を温めた際に分配包装体が加熱により膨張してしまい、最悪の場合は破裂して、弁当を台無しにしてしまう恐れがあるため、やむを得ず、別添（販売時に弁当と同時に渡す）するしかなかった。
そこで、本発明は、これらの問題点に鑑み、分配包装体を弁当などにインパックした状態で、そのまま電子レンジで加熱しても分配包装体が破裂しないように一定以上の内圧になった際に自動的に排圧できるようにした分配包装体を提供すことを目的とする。
【課題を解決するための手段】
【０００５】
このような目的を達成しうる分配包装体の発明は、表面の中央部に折り曲げ線を有する硬質材の蓋と、その蓋の裏面に周縁部を固着され、ポケット部を有する可撓性部材の容器体からなる分配包装体において、前記硬質材の蓋に排圧口が設けられ、前記排圧口は、前記蓋と容器体で該排圧口の周囲に剥離可能なシール部を有している。
【０００６】
さらに、請求項１の分配包装体の発明は、表面の中央部にハーフカット部を設けた折り曲げ線を有する硬質材の蓋と、その蓋の裏面に周縁部を固着され、折曲げ線の両側にポケット部を有する可撓性部材の容器体からなる分配包装体において、前記蓋と容器体の周縁部の固着シールの内側で、さらに前記ポケット部ではない位置で、前記硬質材の蓋の折り曲げ線上に容器体内の設定以上の圧力を排気する排圧口が設けられ、該排圧口の周囲は鋭角形状を有する剥離可能な線状のシール部で閉鎖されている。
【０００７】
また、分配包装体は、前記剥離可能なシール部は菱形又は三角形又は各辺が内側に湾曲している４角形の線状シールである鋭角形状のシール部を有しているとさらに良い。
【０００８】
これらの分配包装体は、表面の中央部にハーフカット部を設けた折り曲げ線を有する硬質材の蓋には、折り曲げ線上に突起が形成されており、前記蓋をＶ字状に折り曲げた際に突起のハーフカット部が破断し、開口部を形成するとさらに使い勝手が良いものとできるので良い。
【発明の効果】
【０００９】
請求項１に記載の発明によれば、硬質材の蓋には排圧口が設けられており、その周囲を剥離可能なシール部を有しているので包装体に内圧が発生した場合にシール部が剥離することにより排圧口に通路が確保されて包装体が破袋することを防止できる。
【００１０】
また、請求項２から３に記載の発明によれば、請求項１に記載に加えて、剥離可能なシールの形状が鋭角形状としてあるので容器の内圧により、鋭角の尖端部より剥離が始まるので、より確実にシール部が剥離することにより排圧口に通路が確保されて包装体が破袋することを防止できる。
また、内圧の上昇により排圧口への通路は確保され、さらに折曲げ線上に突起が形成されていると折曲げ線で折曲げると突起の開口部が形成されるので開口部から内容物を取出すことができるものである。
【００１１】
したがって、弁当にインパックした場合、電子レンジでお弁当を温めた際に分配包装体が加熱により膨張してしまうが、内圧が一定以上になった場合に、排圧口の周りの剥離可能な線状のシールが剥離して排圧するので、包装体が破裂してお弁当が台無しになることを防止できる。この為、コンビニエンスストアでは容器内に分配包装体がインパックされた商品として販売できる。
【００１２】
指で摘んで折曲げることにより、ワンタッチで内容物が取出せる本来の使い勝手はそのままに従来弁当にインパックができない理由として、弁当を電子レンジで加熱した際の包装体内の圧力上昇が排圧口を設けたことにより、破裂をする前に自動的に排気できるので弁当など、電子レンジでの加熱の際に分配包装体の容器の破裂を防止できる。弁当などのインパックに用いるだけでなく、分配包装体の充填品を電子レンジで加熱して温かい商品を食することも可能とできる。
【図面の簡単な説明】
【００１３】
【図１】図１は、本発明の一実施例で排圧口の周囲に菱形の線状シールを有する包装体の平面図である。
【図２】図２は、図１の側面図である。
【図３】図３は、本発明の一実施例で排圧口の周囲に各辺が内側に湾曲した線状シールを有する包装体の平面図である。
【図４】図４は、本発明の一実施例で排圧口の周囲に三角形の線状シールを有する包装体の平面図である。
【図５】図５は、図３を摘んで折り曲げた際に突起が開口した吐出開口部を説明する斜視図である。
【図６】図６は、排圧口のその他の実施例の説明図である。
【発明を実施するための形態】
【００１４】
以下、図面を参照して、本発明の実施の形態について説明する
【００１５】
従来の分配包装体は、硬質材の蓋の裏面に可撓性を有する容器体の周縁部を固着してポケット部を形成し、このポケット部の中に内容物を封入すると共に、該蓋の表面に、該蓋を折り曲げ易いようにするために、蓋材の厚さの半分程にハーフカット（切れ目）４を施した折り曲げ線８を設け、さらに内容物の抽出を容易にするために該折曲げ線８の中心にはピラミッド状或いは円錐台状等の突起５を形成した構造としてある。使用に際しては、包装体１を指で挟み、その蓋２の折曲げ線８を中心としてポケット部３の両側を圧するように蓋２をＶ字型に折り曲げて、この蓋２の折り曲げ線８上に設けた突起５の吐出開口部５ａから内容物を抽出するものである。なお、ポケット部３は折り曲げ線８を挟んでポケット部３が２個対向して形成してあるが、対向するポケット部３同士は、折り曲げ線８上の突起５部の下方に設けた連通部７を介して互いに連通する構造としてある。
【実施例】
【００１６】
［第１実施形態］
図１は、本発明の第１実施形態の包装体を示す平面図である。本実施形態に係る包装体１は折曲げ線８と排圧口１２等を有する蓋２と折曲げ線８の両側にポケット３を有する容器体１の構成であり、図２に側面図を示している。
図１ならびに図２を例に排圧口１２を詳細に説明する。
蓋２と容器体３は周囲を固着シール１０がされており、蓋２は折曲げ線８上には吐出口の突起５があり、さらに折曲げ線８の近傍には本発明の排圧口１２が設けられている。
蓋２に設けられた排圧口１２の周囲は容器体３と菱形にして角が鋭角に形成された線状のシール部１１は容器体３の周囲の固着シール部１０に比べ弱くなるようにシール幅は狭く、或いはシール強度が減少するシールの形状で排圧口１２の周囲を線状のシール１１がしてある。
【００１７】
排圧口１２の形状は○、△、□などの穴の他、図６に示すように（イ）のＵ字、（ロ）のＣ字の形状の切込みであっても良く、Ｕ字１２ａやＣ字１２ｃは蓋２に穴に相当する部分の一部が蓋２に接続しているので、加工時に発生してしまう打ち抜きカスの異物の問題がなく、さらに穴が蓋されていることからより好ましい。
【００１８】
(作用)
電子レンジによる加熱により、容器内の圧力が上昇すると内部の空気の圧力は均一に上昇するが、排圧口１２の周囲の線状のシール部１１は角が菱形形状で鋭角となっているために、局所に集中することになる。さらに、周囲に施された強固な固着シール部１０に比較してシール強度が低く設定されていることから排圧口１２の周囲の鋭角なシールが剥離して容器内の圧力を排圧できる。
排圧口１２が開放された包装体１は指で摘んでハーフカット４が施された折曲げ線８からＶ字状に折曲げ、未開口の突起５の吐出開口部５ａから内容物を取出すことができる。
【００１９】
［第２実施形態］
図４を参照して詳細に説明する。
なお、番号は共通する箇所は同じ番号とする。
第１の実施形態と異なるところは排圧口１２の設置場所及び排圧口１２の周囲に設けられる線状のシール部１１の形状が異なっている。
排圧口１２の周囲の線状のシール１１は略三角形で底辺は蓋と容器体の周囲の固着シール１０としてあり、他の左右の側辺は直線或いは内側に湾曲して頂角は鋭角としてある。底辺の固着シール１０以外の左右の側辺の頂角は容器体内の圧力が上昇時に剥離する線状のシール１１構造としてある。
【００２０】
（作用）
第１の実施形態と同様に容器体３内の圧力が上昇時に排圧口１２の周囲の線状のシール１１が周囲の固着シール１０よりも弱く設定されていることにより、線状のシール１１が剥離して蓋２に設けられている排圧口１２から内部の圧力を排圧することができる。
【００２１】
硬質材の蓋２は、共押出フィルムで、少なくともＰＳ層より構成される。ＰＳ層とは、ポリスチレン系樹脂を主成分として含む層である。ＰＳ層を構成するポリスチレン系樹脂としては、良好な割れ性を有する蓋材を得ることの観点から、一般用ポリスチレン（ＧＰＰＳ）、耐衝撃性ポリスチレン（ＨＩＰＳ）、又はこれらの樹脂の混合物であることが好ましい。ＧＰＰＳは、ゴム成分を含まないので、割れやすい性質を有している。これに対して、ＨＩＰＳは、ゴム成分を含み、割れにくい性質を有している。したがって、ＰＳ層は、ＧＰＰＳ、ＨＩＰＳ及びこれらの樹脂の混合物を適宜使い分けることにより、開封する際の蓋２の割れ性を調節することができる。
蓋２は基材としてＰＳ層を有し、その他の構成として、バリア層さらに容器体３と溶着するシール層から構成される。シール層は、低密度ポリエチレン（ＬＤＰＥ）、高密度ポリエチレン（ＨＤＰＥ）、直鎖状低密度ポリエチレン（ＬＬＤＰＥ）、ポリプロピレン（ＰＰ）のうちのいずれか、又はこれらの混合物で構成される層である。
【００２２】
蓋材用共押出フィルムの総厚みは、１００μｍ以上、さらに好ましくは２００μｍ以上、特に好ましくは３００μｍ以上であり、かつ８１５μｍ以下、好ましくは７００μｍ以下、さらに好ましくは６００μｍ以下であることが望ましい。このような総厚みにすることで、図５に示されるように折曲げて突起５の吐出開口部５ａを開口させる分配包装体１の蓋材２としての良好な開封性を持たせることができる。                                      
【００２３】
分配包装体の蓋材においては、分配包装体の蓋材にハーフカット４を設け、このハーフカット４に直交する方向に突起５を設ける。突起５は、吐出開口部５ａを構成するものであり、蓋２を折り曲げた際、曲げ応力が吐出開口部５ａを構成する突起５の裾野のハーフカット４に集中し、この突起５が切り裂け、吐出開口部５ａから内容物が吐出される。突起５としては、例えば、富士山形状、四角錐、半円状（ドーム形状）、立方体等が挙げられるが、応力を集中することができればよいので、これらの形状に限定されない。蓋の表面に折曲げ線８としてハーフカット４を設け、突起５はフィルムを加熱して軟化させた後に公知のプラグ成形にて行なうことが出来る。また、排圧口１２はダイスカットやトムソン刃などの公知の方法にて行なうことが出来る。
【００２４】
ハーフカット４とは、突起５にさらに曲げ応力を集中し、開封し易くするために設けるものであり、成形された突起５の中央部を横切る方向に、カット刃で蓋材の総厚みに対し、１０〜５０％程度の深さで切り目を、蓋材が折れる方向と同方向において連続で入れることにより成形される。また、ハーフカット４は、突起の頂点部に、切り目を入れてその他は２〜１０ｍｍ程度の幅で点線状に入れることにより成形することもできる。
【００２５】
蓋２を、容器体３に接着されて包装体１とする。容器体３には、無延伸共押出複合フィルムを使用することが好適である。構成として、Ｎｙ層／接着層／ＰＥ層が、深絞り適性の面から有効である。さらに酸素バリア層を積層するとさらに良い。内容物である粘ちょう体を充填するため、深絞り成形を施すが、工程として、フィルム加熱（熱板への接触加熱）の後に、圧空・真空成形の方式が一般的である。加熱温度は、１５０〜１８０℃が好適である。成形された容器体３へは、粘ちょう体が充填され、成形された蓋材２と合わされ、固着シールされる。このシールは、蓋材２及び容器体３のシール面界面で剥がれることなく、完全シールされる。分配包装体１のサイズは、タテ２０〜１００ｍｍ×ヨコ２０〜１００ｍｍ×深さ３〜４０ｍｍ程度である。
開封方法は、包装体１の両端を片手で持ち、蓋２の中央部より、容器体３が内側にくるような方向で包装体１を折曲げるようにすると、蓋２の突起５が開口して、内容物が吐出する。
【００２６】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨あるいは思想に反しない範囲で適宜変更可能である。
【産業上の利用可能性】
【００２７】
本発明は、片手で摘んで折曲げて開封することができる使い勝手が良い分配包装体１は、多方面での利用が求められていたが、手軽に温められる電子レンジには不向きであった。電子レンジにも対応できることから、コンビニエンスストアの弁当のみならず、家庭で温かいソースとしての使用する際に有用である。
【符号の説明】
【００２８】
１  包装体
２  蓋
３  容器体（ポケット）
４  ハーフカット（切れ目）
５  突起（吐出口、）
５ａ  吐出開口部
６  補強リブ
７  連通部
８  折曲げ線
１０  固着シール（部）
１１  線状のシール（部）
１１ａ  辺が内側に湾曲している線状シール
１１ｂ  三角形の線状シール
１１ｃ  菱形の線状シール
１２  排圧口
１２ａ  Ｕ字排圧口
１２ｃ  Ｃ字排圧口
【図１】
0005846810.tif 000002
【図２】
0005846810.tif 000003
【図３】
0005846810.tif 000004
【図４】
0005846810.tif 000005
【図５】
0005846810.tif 000006
【図６】
0005846810.tif 000007